(57)【要約】【課題】着座レイアウトのバリエーションが豊富な長椅子を提供する。【解決手段】自立可能な脚部２Ａと主座板２０を備える椅子２を一対有しており、少なくとも一方の主座板２０の下方においてスライド可能に案内されている補助座板３０を有しており、補助座板３０は、それぞれの主座板２０に対して揺動可能に接続されており、一対の椅子２が補助座板３０によって連結されている。【選択図】図１
2020065682.tif 000002
【特許請求の範囲】
【請求項１】
自立可能な脚部と主座板を備える椅子を一対有しており、
少なくとも一方の前記主座板の下方においてスライド可能に案内されている補助座板を有しており、
前記補助座板は、それぞれの前記主座板に対して揺動可能に接続されており、
前記一対の椅子が前記補助座板によって連結されていることを特徴とする長椅子。
【請求項２】
前記補助座板を前記椅子に対して抜け止めする抜け止め機構が配設されていることを特徴とする請求項１に記載の長椅子。
【請求項３】
前記自立可能な脚部は、略水平方向に延びる横杆部材を備えており、前記補助座板は、前記横杆部材に支持されていることを特徴とする請求項１または２に記載の長椅子。
【請求項４】
前記一対の椅子の各前記主座板は、それぞれ上面視略台形状に形成されていることを特徴とする請求項１ないし３のいずれかに記載の長椅子。
【請求項５】
前記自立可能な脚部は、一対の立設する脚部材と、前記一対の脚部材の上端を連結する横架部材とにより、正面視下向き略コ字状に形成されており、
前記横架部材には前記主座板が固定されていることを特徴とする請求項１ないし４のいずれかに記載の長椅子。
【発明の詳細な説明】
【技術分野】
【０００１】
本発明は、主に学校や公共施設、集合住宅のコミュニケーションスペース等で利用される長椅子に関する。
【背景技術】
【０００２】
学校や公共施設、集合住宅のコミュニケーションスペース等には、様々な形状の椅子が使用されている。このような場で用いられる椅子には、特許文献１に示されるような組み合わせが自由で、着座する人数に応じて長椅子同士を連結させたり、円弧状に配置させて会議等をしやすくさせたようなものもある。
【０００３】
このような椅子にあっては、複数の長椅子を連結・配置させる構成であるために、人数が増えた場合は既存のレイアウトに新たに椅子を組み付けたり、別に椅子を用意する必要があった。そこで特許文献２に示される椅子のように、補助座席部を長椅子本体内に引出自在に収納するようにした伸長式長椅子も提案されている。この伸長式長椅子は、着座する人数に応じて補助座板を出し入れし、長椅子に着座できる面積を変更させることが可能で、人数の増減に臨機応変に対応できるようになっている。
【先行技術文献】
【特許文献】
【０００４】
【特許文献１】特開２０１７−２０２２６０号公報（第５頁、第２７図）
【特許文献２】実願昭６０−１０５５７８号（実開昭６２−１５２５４号）のマイクロフィルム（第５頁、第１図、第４図）
【発明の概要】
【発明が解決しようとする課題】
【０００５】
しかしながら、特許文献２に示されている伸長式長椅子は、補助座席部の引出方向は側方に向けて直線状に延長されるものであるため、着座方向が限定されており、複数の人が利用する種々の使用形態に対応しやすいものとは言い難かった。
【０００６】
本発明は、このような問題点に着目してなされたもので、着座レイアウトのバリエーションが豊富な長椅子を提供することを目的とする。
【課題を解決するための手段】
【０００７】
前記課題を解決するために、本発明の長椅子は、
自立可能な脚部と主座板を備える椅子を一対有しており、
少なくとも一方の前記主座板の下方においてスライド可能に案内されている補助座板を有しており、
前記補助座板は、それぞれの前記主座板に対して揺動可能に接続されており、
前記一対の椅子が前記補助座板によって連結されていることを特徴としている。
この特徴によれば、補助座板を主座板に対して方向やスライドさせて露出させる量を変えて配置させることができることから、着座方向をそれぞれ変更可能であり着座レイアウトのバリエーションが多いだけでなく、一対の椅子が一体的に連結されていることから他の場所に配置された椅子を持ち運ぶ必要もなく着座レイアウト変更時の変形作業が容易である。
【０００８】
前記補助座板を前記椅子に対して抜け止めする抜け止め機構が配設されていることを特徴としている。
この特徴によれば、補助座板が椅子に対して抜け止めされているので、変形作業が容易かつ補助座板の滑り落ちの虞が無く、安定して着座できる。
【０００９】
前記自立可能な脚部は、略水平方向に延びる横杆部材を備えており、前記補助座板は、前記横杆部材に支持されていることを特徴としている。
この特徴によれば、補助座板を横杆部材が支持しているので、補助座板の支持強度が強く、長いすは補助座板の使用時にも安定し着座することができる。
【００１０】
前記一対の椅子の各前記主座板は、それぞれ上面視略台形状に形成されていることを特徴としている。
この特徴によれば、長椅子を複数隣接させ配置させる際、略円弧を形成させることができる。
【００１１】
前記自立可能な脚部は、一対の立設する脚部材と、前記一対の脚部材の上端を連結する横架部材とにより、正面視下向き略コ字状に形成されており、
前記横架部材には前記主座板が固定されていることを特徴としている。
この特徴によれば、自立可能な脚部が正面視下向き略コ字状であることから強度が強い。
【図面の簡単な説明】
【００１２】
【図１】本発明の実施例１における長椅子を示す斜視図である。
【図２】（ａ）は、本発明の実施例１における長椅子を示す正面図であり、（ｂ）は（ａ）におけるＡ−Ａ断面図である。
【図３】本発明の実施例１における長椅子を示す上面図であり、一方の主座板を取り外した状態を示している。
【図４】本発明の実施例１におけるサブ座板の下面図である。
【図５】（ａ）は、本発明の実施例１におけるスツールにサブ座板を収納した態様を示し、（ｂ）は、スツールに対してサブ座板が揺動可能に接続されている態様を示した上面図である。
【図６】本発明の実施例２における長椅子を環状に複数配置させた上面図であり、（ａ）は、サブ座板をスツール下部に収納させた状態で配置させた図を示し、（ｂ）はサブ座板をスツール下部から引出して配置させた図を示す。
【図７】（ａ）は、本発明の実施例３における長椅子を直線状に２つ配置させた上面図であり、（ｂ）は、長椅子を２つ配置した際のレイアウト例を示す。
【図８】（ａ）は、本発明の実施例４における長椅子を３つ配置させた上面図であり、レイアウト例を示す。
【図９】本発明の実施例の変形例における長椅子を示す上面図である。
【発明を実施するための形態】
【００１３】
本発明に係る長椅子を実施するための形態を実施例に基づいて以下に説明する。
【実施例１】
【００１４】
実施例１に係る長椅子につき、図１から図４を参照して説明する。以下、図３の画面右側を長椅子の正面側（前方側）として説明する。
【００１５】
図１に示されるように、長椅子１は、学校や公共施設、集合住宅のコミュニケーションスペース等において用いられ、多人数を着座させることを可能としている。長椅子１は、同形状のスツール２（椅子）が２つと、２つのスツール２，２を架設するように配置されたサブ座板３０（補助座板）から主に構成されている。尚、スツール２，２は同一形状の為、重複する箇所については説明を省略する。
【００１６】
図１及び図２に示されるように、スツール２は、着座可能で上面が面一に形成された座板２０（主座板）と、脚部２Ａ（脚部）から主に形成されている。脚部２Ａは、一対の脚部材２１，２１と、脚部材２１，２１の上端の前後端同士が連結され上面に前述した座板２０を載置可能な二本の横架部材２２，２２と、から形成され、正面視下向き略コ字状を成している。脚部材２１は、縦杆材２１ａ，２１ｂと横杆材２１ｃ，２１ｄを溶接により形成した矩形枠に、上方の横杆材２１ｄから所定長さ下方の位置において縦杆材２１ａ，２１ｂを連結するように横杆部材２３が固定されている。また、横架部材２２，２２は、ネジ螺合により座板２０の下面側から座板２０に固定されている。
【００１７】
図２（ａ）及び図３に示されるように、スツール２の座板２０は、四角が丸みを帯びた上面視略台形状に形成されている。脚部材２１，２１は、座板２０の各側部２０ａ，２０ｂと略平行にそれぞれ配設されている。
【００１８】
図２（ａ）及び図３に示されるように、サブ座板３０は、略平行に延びた長辺が端部において円弧状に接続されて上面視略小判型に形成されている。また、ネジ３３により横杆部材２３，２３に固定された滑子３２，３２がスライド溝３１に遊嵌することでサブ座板３０は、移動可能となっている。後述するが、図４に示されるようにサブ座板３０の下面には、スライド溝３１，３１が凹設されている。滑子３２とスライド溝３１，３１の端部３１ｂ，３１ｃとにより抜け止め機構が構成されており、サブ座板３０はスツール２，２に対し左右方向への移動が規制されている。
【００１９】
図４に示されるように、スライド溝３１，３１は、サブ座板３０の底面の長手方向の端部近傍から中心近傍にかけて、長手方向に沿って２つ凹設されており、各スライド溝３１は、直線部３１ａ、直線部３１ａの両端には下面視半円弧の端部３１ｂ，３１ｃにより形成されている。また、図２（ｂ）に示されるように、スライド溝３１，３１に対して、滑子３２，３２が遊嵌されると、サブ座板３０は、直線部３１ａ、３１ａによって前後方向への移動が規制されるとともに、横杆部材２３により下方から支持され、杆材２１ｄにより上方への移動が規制されるようになっている。また、図３に示されているようにサブ座板３０は、隣接するスツール２，２の各脚部材２１，２１を共用するようになっている。
【００２０】
図２（ｂ）に示されるようにサブ座板３０は、横杆材２１ｄ，縦杆材２１ａ，２１ｂ，横杆部材２３に囲まれた空間に挿入された状態で、滑子３２を横杆部材２３の貫通孔を通したネジ３３により横杆部材２３に固定することで、脚部材２１に連結される。また、サブ座板３０のスライドを円滑化することや保護の観点から、横杆材２１ｄ下面、横杆部材２３上面には図示しないフェルトシートが貼付されていることが好ましい。
【００２１】
図５（ａ）に示されるように、長椅子１における座板２０，２０の各側部２０ａ，２０ａを当接させ、上面視略への字状に配置させると、サブ座板３０はスライド溝３１，３１と滑子３２，３２によってスライド移動してスツール２，２の下方に収納させることができるようになっている。また、図５（ｂ）に示されるように滑子３２を中心にサブ座板３０がスツール２に対して揺動可能になっている。このとき、図２（ｂ）に示されているように、サブ座板３０が横架部材２２，２２の下面より下方に配設されているので、揺動時にサブ座板３０の移動に横架部材２２，２２が干渉しないため、揺動の可動域が広くなっている。
【００２２】
このように長椅子１は、自立可能な脚部と座板２０を備えるスツール２を一対有しており、一対のスツール２は、少なくとも一方の座板２０の下方においてスライド可能に案内されているサブ座板３０を有しており、サブ座板３０は、それぞれの座板２０に対して揺動可能に接続されており、サブ座板３０によって一対のスツール２が連結されているので、着座方向やスライドさせて露出させる量をそれぞれ変更可能であり着座レイアウトのバリエーションが多いだけでなく、スツール２，２が一体的に連結されていることから他の場所に配置された椅子を持ち運ぶ必要もなく着座レイアウト変更時の変形作業が容易である。
【００２３】
このようにサブ座板３０をスツール２に対して抜け止めする滑子３２が配設されているので変形作業が容易かつサブ座板３０の滑り落ちの虞が無く、安定して着座できるようになっている。
【００２４】
このように脚部２Ａは、略水平方向に延びる横杆部材２３を備えており、サブ座板３０は、横杆部材２３に支持されているので、サブ座板３０の支持強度が強く、長椅子１はサブ座板３０の使用時にも安定し着座することができる。
【００２５】
このように長椅子１の座板２０，２０は、上面視略台形状に形成されているので長椅子１を複数隣接させ配置させる際、略円弧を形成させることができるようになっている。
【００２６】
このように自立可能な脚部２Ａは、一対の立設する脚部材２１と、一対の脚部材２１の上端を連結する横架部材２２，２２とにより、正面視下向き略コ字状に形成されており、横架部材２２，２２には座板２０が固定されていることから強度が増すようになっている。
【００２７】
このようにサブ座板３０をスツール２の下方にスライドさせ収納できるので、複数の人が利用する種々の使用形態に対応しやすいようになっている。
【実施例２】
【００２８】
実施例２に係る長椅子につき、図６を参照して説明する。なお、前記実施例に示される構成部分と同一のものについては、同一符号を付して重複する説明を省略する。
【００２９】
図６（ａ）は、長椅子１を環状に複数配置させた上面図である。長椅子１のスツール２に１人着座できるとした場合、図６（ａ）のように長椅子１を４つ配置させた場合は、８人着座可能となっている。着座する人数が増加した場合は、図６（ｂ）に示されているように、収納されていたサブ座板３０をスツール２の下部から引出すことで着座できる面積を増やし、図６（ａ）よりも径を大きく変形させることができる。これによりサブ座板３０にも１人ずつ着座可能となり合計１２人着座可能となっている。また、サブ座板３０を予め引出しておき、隣接するスツール２に着座した際の荷物置きとして利用してもよい。
【実施例３】
【００３０】
実施例３に係る長椅子につき、図７（ａ），（ｂ）を参照して説明する。なお、前記実施例に示される構成部分と同一のものについては、同一符号を付して重複する説明を省略する。
【００３１】
図７（ａ）は、長椅子１を直線状に２つ配置させた上面図である。隣接する長椅子１，１におけるスツール２，２の外側部２０ｂ，２０ｂ同士を当接させると、座板２０，２０が略台形状であることから前後方向におけるそれぞれの短辺２０ｃと長辺２０ｄが略直線状となり、同方向に向いて多数の人が着座しやすい形状となるようになっている。また図６（ｂ）に示されるように、スツール２に対してサブ座板３０を揺動させ、上面視略凸型を成すように配置させることもできるようになっている。
【実施例４】
【００３２】
実施例４に係る長椅子につき、図８を参照して説明する。なお、前記実施例に示される構成部分と同一のものについては、同一符号を付して重複する説明を省略する。
【００３３】
図８は、長椅子１を３つ配置させたレイアウト例である。スツール２の外側部２０ｂをそれぞれ当接させ、サブ座板３０をスツール２の下部へ収納させ、上面視略Ｗ型に配置させたレイアウトの一例を示している。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
尚、本実施例では、スツール２の座板２０が上面視略台形状と説明したが、これに限られず、例えば、長方形状でもよいし、楕円形状でもよい。
【００３６】
また、本実施例では、脚部材２１，２１は、座板２０の各側部２０ａ，２０ｂと略平行にそれぞれ配設されていると説明したが、これに限られず、座板２０の各側部２０ａ，２０ｂに対して略平行でなくてもよい。例えば、図９に示されるように、脚部材２１，２１が互いに平行かつ横架部材２２，２２の長手方向に直交しているものでもよく、この場合、一対の脚部材２１と、２本の横架部材２２によって上面視略長方形となるので脚部２Ａの高い強度を確保できる。
【００３７】
また、本実施例では、脚部２Ａの脚部材２１，２１には横杆部材２３が備えられていたが、これに限られず、サブ座板３０が配置されない側の脚部材２１から横杆部材２３を省略した構成であってもよい。
【００３８】
また、本実施例では、サブ座板３０が座板２０よりも短い例について説明したが、これに限られず、サブ座板３０が座板２０より長くてもよい。
【００３９】
また、本実施例では、スツール２は一人用として説明したが、これに限られず、二人用や三人用としてもよい。サブ座板３０についても同様である。
【符号の説明】
【００４０】
１                長椅子
２                スツール（椅子）
２Ａ              脚部
２０              座板（主座板）
２１              脚部材
２２              横架部材
２３              横杆部材
３０              サブ座板（補助座板）
３１              スライド溝
３２              滑子
３３              ネジ
【図１】
2020065682.tif 000003
【図２】
2020065682.tif 000004
【図３】
2020065682.tif 000005
【図４】
2020065682.tif 000006
【図５】
2020065682.tif 000007
【図６】
2020065682.tif 000008
【図７】
2020065682.tif 000009
【図８】
2020065682.tif 000010
【図９】
2020065682.tif 000011